(57)【要約】【課題】デジタル放送受信装置でのチャンネル切り替え時に、切り替え先のチャンネルの放送データの表示が可能となるまでの間、予め作成・記憶していた画像を表示し、当該表示から上記放送データの表示に切り替えたときに不自然な印象を与えないようにする。【解決手段】デジタル放送受信システム１は、デジタルテレビ２と、デジタル放送を受信し表示する携帯電話３とを備える。携帯電話３は、選択チャンネルで受信中の放送データの画像とチャンネル情報とを含む出力データを作成しデジタルテレビ２に送信する。デジタルテレビ２は、携帯電話３から受信した出力データを記憶するメモリを有し、チャンネル切り替え時に、該チャンネル切り替えから所定のチャンネルの放送データに基づいた表示が可能となるまでの間、当該チャンネルについての出力データが記憶されている場合は、当該出力データに基づいた表示を行う。【選択図】図１
2011119839.tif 000002
【特許請求の範囲】
【請求項１】
デジタル放送受信装置と、該デジタル放送受信装置と通信する機能及びデジタル放送を受信し表示する機能を有する携帯端末装置と、を備えたデジタル放送受信システムであって、
前記携帯端末装置は、選択したチャンネルで受信中の放送データの画像情報といずれのチャンネルのものかを示すチャンネル情報とを含む出力データを作成すると共に、該出力データを前記デジタル放送受信装置に送信するデータ作成送信部を有し、
前記デジタル放送受信装置は、前記携帯端末装置から受信した前記出力データを記憶するデータ記憶部を有し、チャンネル切り替え時に、該チャンネル切り替えから所定のチャンネルの放送データに基づいた表示が可能となるまでの間、当該チャンネルについての出力データが前記データ記憶部に記憶されている場合は、当該出力データに基づいた表示を行うことを特徴とするデジタル放送受信システム。
【請求項２】
前記携帯端末装置の前記データ作成送信部は、前記放送データのイントラフレーム受信毎に前記出力データを作成し送信することを特徴とする請求項１に記載のデジタル放送受信システム。
【請求項３】
前記携帯端末装置は、前記デジタル放送受信装置に対してリモコン信号を送信する機能を更に有し、前記携帯端末装置で表示中のチャンネルへ前記デジタル放送受信装置のチャンネルを切り替えるよう指示するリモコン信号を送信する際に、前記データ作成送信部が、前記表示中のチャンネルの放送データに基づいて前記出力データを作成し送信することを特徴とする請求項１に記載のデジタル放送受信システム。
【請求項４】
前記携帯端末装置は、当該携帯端末装置で受信するチャンネルを自動的に切り替える機能を更に有し、前記データ作成送信部が、チャンネルの切り替え毎に、切り替え後のチャンネルの放送データに基づいて前記出力データを作成し送信することを特徴とする請求項１に記載のデジタル放送受信システム。
【請求項５】
前記携帯端末装置は、自動的に切り替えて受信した複数のチャンネルの放送データの画像を１画面に表示出力することを特徴とする請求項４に記載のデジタル放送受信システム。
【請求項６】
前記携帯端末装置は、電子番組表を記憶する記憶部を更に有し、前記データ作成送信部が、前記電子番組表に基づいて、少なくとも、前記携帯端末装置で表示中のチャンネルにおける番組が切り替わる毎に、前記出力データを作成し送信することを特徴とする請求項１に記載のデジタル放送受信システム。
【請求項７】
前記画像情報は、静止画像データであることを特徴とする請求項１〜６のいずれか１に記載のデジタル放送受信システム。
【請求項８】
前記画像情報は、トランスコーディングした動画データであることを特徴とする請求項１〜６のいずれか１に記載のデジタル放送受信システム。
【請求項９】
前記出力データは、音声データを含むことを特徴とする請求項８に記載のデジタル放送受信システム。
【請求項１０】
前記デジタル放送受信装置は、前記出力データに基づいた表示を行う際、当該出力データは前記携帯端末装置が作成したものであることを示すメッセージを併せて表示することを特徴とする請求項１〜９のいずれか１に記載のデジタル放送受信システム。
【請求項１１】
請求項１〜１０のいずれか１に記載のデジタル放送受信システムを構成する携帯端末装置。
【発明の詳細な説明】
【技術分野】
【０００１】
本発明は、デジタル放送受信システム及び該システムに用いられる携帯端末装置に関し、より詳細には、デジタル放送のチャンネル切り替え時に、予め作成・記憶していた切り替え先のチャンネルの画像（静止画像またはトランスコーディングした動画）の表示等を行うデジタル放送受信システム及び該システムを構成する携帯端末装置に関する。
【背景技術】
【０００２】
従来、デジタル放送の受信装置（ＴＶ，レコーダ、セットトップボックスなど）には、チャンネルを切り替えた場合に、切り替え先のチャンネルの放送をすぐに表示させることができないという問題があった。これは、デジタル放送受信装置では、切り替え先のチャンネルの局からのデータの取得、データのデコード等といった表示までの一連の処理に時間がかかることに原因がある。また、その他の原因としては、デジタル放送に使われている動画像の圧縮方式のＭＰＥＧ（Moving Picture Experts Group）２では、差分情報（Ｐフレーム、Ｂフレームのデータ）のみからではデコードできず、差分情報を必要としないイントラフレーム（Ｉフレーム）が入力されるまで待機しなければならないこともある。現在の標準的なＴＶでは、チャンネルを切り替えてから画像が表示されるまでに２〜５秒もの時間がかかると言われている。
【０００３】
上記の課題を解決する技術としては、例えば、ユーザがデジタル放送の受信を選択していない状態（例えば主電源ＯＦＦ状態）のときに、各チャンネルについてＩフレームのデータを予め受信／デコードしその画像をメモリに格納しておき、主電源ＯＮ後、チャンネルが切り替えられた場合に、該切り替え直後は、メモリに格納した切り替え先のチャンネルの画像を表示する技術がある（例えば、特許文献１参照）。
しかしながら、この技術では、例えば主電源ＯＮ後から長時間経過した後にチャンネルを切り替えた場合に、切り替え先のチャンネルで現在放送されている番組と異なる番組の画像が切り替え直後に表示されることがある。
【０００４】
特許文献２には、ユーザがチャンネルを変えることにより選択されたチャンネルの番組を受信した際にその番組を構成するＩフレームをチャンネル毎に記憶部に記憶しておき、次にそのチャンネルの番組を受信して表示する際は、その番組のＩフレームが受信されるまでの間、上記記憶部にチャンネル毎に記憶したＩフレームを読み出して表示する技術が開示されている。また、特許文献２に開示の技術では、記憶したＩフレームを一定時間ごとに記憶部から消去する。そして、切り替え先のチャンネルについて現在放送中の番組と異なる番組のＩフレームが記憶されている場合や、Ｉフレームが記憶されてない場合に、電子番組表に基づくテキスト情報からなる番組情報を表示する。これにより、切り替え先のチャンネルで現在放送されている番組と異なる番組の画像が表示されることを防止している。
【先行技術文献】
【特許文献】
【０００５】
【特許文献１】特開２００４−１２８９４２号公報
【特許文献２】特開２００７−２２１５０９号公報
【発明の概要】
【発明が解決しようとする課題】
【０００６】
しかしながら、特許文献２に開示の技術では、チャンネル切り替え直後に表示する画像は、テキスト情報からなる番組情報であるため、その画像から、現在放送中の番組のデータをデコードして表示する動画に切り替わると不自然である。
【０００７】
本発明は、上述のような実情を鑑み、チャンネル切り替え時に、該チャンネル切り替えから切り替え先のチャンネルの放送データに基づいた表示が可能となるまでの間、予め作成・記憶していた画像を表示し、当該画像の表示から上記放送データに基づく表示に切り替えたときに不自然な印象を与えないデジタル放送受信システム及び該システムを構成する携帯端末装置を提供することをその目的とする。
【課題を解決するための手段】
【０００８】
上記課題を解決するために、本発明の第１の技術手段は、デジタル放送受信装置と、該デジタル放送受信装置と通信する機能及びデジタル放送を受信し表示する機能を有する携帯端末装置と、を備えたデジタル放送受信システムであって、前記携帯端末装置が、選択したチャンネルで受信中の放送データの画像情報といずれのチャンネルのものかを示すチャンネル情報とを含む出力データを作成すると共に、該出力データを前記デジタル放送受信装置に送信するデータ作成送信部を有し、前記デジタル放送受信装置が、前記携帯端末装置から受信した前記出力データを記憶するデータ記憶部を有し、チャンネル切り替え時に、該チャンネル切り替えから所定のチャンネルの放送データに基づいた表示が可能となるまでの間、当該チャンネルについての出力データが前記データ記憶部に記憶されている場合は、当該出力データに基づいた表示を行うことを特徴としたものである。
【０００９】
本発明の第２の技術手段は、第１の技術手段において、前記携帯端末装置の前記データ作成送信部が、前記放送データのイントラフレーム受信毎に前記出力データを作成し送信することを特徴としたものである。
【００１０】
本発明の第３の技術手段は、第１の技術手段において、前記携帯端末装置が、前記デジタル放送受信装置に対してリモコン信号を送信する機能を更に有し、前記携帯端末装置で表示中のチャンネルへ前記デジタル放送受信装置のチャンネルを切り替えるよう指示するリモコン信号を送信する際に、前記データ作成送信部が、前記表示中のチャンネルの放送データに基づいて前記出力データを作成し送信することを特徴としたものである。
【００１１】
本発明の第４の技術手段は、第１の技術手段において、前記携帯端末装置が、当該携帯端末装置で受信するチャンネルを自動的に切り替える機能を更に有し、前記データ作成送信部が、チャンネルの切り替え毎に、切り替え後のチャンネルの放送データに基づいて前記出力データを作成し送信することを特徴としたものである。
【００１２】
本発明の第５の技術手段は、第４の技術手段において、前記携帯端末装置が、自動的に切り替えて受信した複数のチャンネルの放送データの画像を１画面に表示出力することを特徴としたものである。
【００１３】
本発明の第６の技術手段は、第１の技術手段において、前記携帯端末装置が、電子番組表を記憶する記憶部を更に有し、前記データ作成送信部が、前記電子番組表に基づいて、少なくとも、前記携帯端末装置で表示中のチャンネルにおける番組が切り替わる毎に、前記出力データを作成し送信することを特徴としたものである。
【００１４】
本発明の第７の技術手段は、第１〜６のいずれか１の技術手段において、前記画像情報が、静止画像データであることを特徴としたものである。
【００１５】
本発明の第８の技術手段は、第１〜６のいずれか１の技術手段において、前記画像情報が、トランスコーディングした動画データであることを特徴としたものである。
【００１６】
本発明の第９の技術手段は、第８の技術手段において、前記出力データが、音声データを含むことを特徴としたものである。
【００１７】
本発明の第１０の技術手段は、第１〜９のいずれか１の技術手段において、前記デジタル放送受信装置が、前記出力データに基づいた表示を行う際、当該出力データは前記携帯端末装置が作成したものであることを示すメッセージを併せて表示することを特徴としたものである。
【００１８】
本発明の第１１の技術手段は、第１〜９のいずれか１の技術手段のデジタル放送受信システムを構成する携帯端末装置である。
【発明の効果】
【００１９】
本発明によれば、デジタル放送受信装置が、チャンネル切り替え直後に、携帯端末装置で受信していた切り替え先のチャンネルの放送の画像を表示できるので、当該画像の表示から、切り替え先のチャンネルの放送データをデコードした動画の表示に切り替えたときにユーザに不自然な印象を与えないようにすることができる。
【図面の簡単な説明】
【００２０】
【図１】本発明の第１の実施例のデジタル放送受信システムを説明するシステム構成図である。
【図２】本発明の第１の実施例のデジタル放送受信システムの利用形態を説明する図である。
【図３】図１の携帯電話の構成例を示すブロック図である。
【図４】ブランク期間用のデータの構成例を示す図である。
【図５】図１のデジタルテレビの構成例を示すブロック図である。
【図６】図５のデジタルテレビの表示制御部の動作を説明するブロック図である。
【図７】図５のデジタルテレビの表示画面の例を示す図である。
【図８】図３の携帯電話の処理の一例を説明するフローチャートである。
【図９】本発明の第２の実施例の携帯電話の処理の一例を説明するフローチャートである。
【図１０】本発明の第３の実施例のデジタル放送受信システムの利用形態を説明する図である。
【図１１】図１０の携帯電話の構成例を示すブロック図である。
【図１２】図１０のデジタルテレビの構成例を示すブロック図である。
【図１３】図１１の携帯電話の処理の一例を説明するフローチャートである。
【図１４】本発明の第４の実施例の携帯電話の構成例を示すブロック図である。
【発明を実施するための形態】
【００２１】
（第１の実施例）
図１は、本発明の第１の実施例のデジタル放送受信システムを説明するシステム構成図である。
図示するように、第１の実施例のデジタル放送受信システム１は、本発明の「デジタル放送受信装置」の一例としてのデジタル放送を受信するデジタルテレビ２と、後述のブランク期間用データを送信するためにＩｒＳＳ（Ir Simple Shot）やＢｌｕｅｔｏｏｔｈ等の通信方式によってデジタルテレビ２と通信する機能を有する携帯端末装置の一例としての携帯電話３と、を備え、携帯電話３も、デジタル放送を受信する機能と、受信したデジタル放送を表示する機能を有する。また、本例では、携帯電話３は、デジタルテレビ２に対するリモートコントローラとして機能するようリモコンソフトを内蔵しており、ＩｒＤＡ（Infrared Data Association）等の通信方式によってデジタルテレビ２にリモコン信号（遠隔操作信号）を送信する。
【００２２】
図２は、ユーザが図１のデジタル放送受信システム１を用いるときに、デジタルテレビ２や携帯電話３に表示される画面、及び、携帯電話３からデジタルテレビ２に送信されるデータを説明する図である。
図１のデジタル放送受信システム１では、ユーザが、例えば、図２（Ａ）に示すように現在デジタルテレビ２で出力されているチャンネルＡから他のチャンネルへ切り替えを行う場合、携帯電話３のリモコンソフトを起動し、選択しようとするチャンネルの内容確認のために、図２（Ｂ）に示すように、あるチャンネルの放送を受信し携帯電話３に出力させる。このシステム１では、携帯電話３は、あるチャンネルとしてチャンネルＢの放送を出力しながら、バックグラウンドで、当該放送のＩフレームの受信毎に、該受信時の放送の静止画像データを作成しデジタルテレビ２に送信し当該テレビ２の不図示のメモリに記憶更新させている。
【００２３】
そして、図２（Ｃ）に示すように、ユーザが出力内容の確認結果に基づいて、デジタルテレビ２のチャンネルをチャンネルＢに切り替えるよう指示するリモコン信号を携帯電話３からデジタルテレビ２に送出させたときに、デジタルテレビ２が、切り替え先のチャンネルＢの現在の放送データに基づく表示が可能になるまでの間、予めメモリに記憶したチャンネルＢの静止画像データに基づいて表示出力を行う。チャンネルＢの現放送データに基づく表示が可能になったら、図２（Ｄ）に示すように、デジタルテレビ２は、チャンネルＢの実際の放送を出力する。
【００２４】
このように、デジタル放送受信システム１では、従来と同様、デジタルテレビ２が、ユーザによりチャンネルが切り替えられたときに、切り替え先のチャンネルの放送の表示が可能となるまでのブランク期間中、不図示のメモリに予め記憶していた切り替え先のチャンネルのブランク期間用のデータ（上述の例では静止画像データ）に基づいて画像表示するようになっている。しかし、従来のものと異なり、上記ブランク期間用データを携帯電話３がＩフレーム受信毎に該受信時の放送データに基づいて作成し送信している。そのため、ブランク期間中に、切り替え先のチャンネルでの現在の放送と時間的に非常に近い放送の画像を表示できるので、当該画像の表示から、切り替え先のチャンネルで現在放送中のデータをデコードした動画の表示に切り替えたときに番組が変わってユーザに不自然な印象を与えることが少ない。
【００２５】
携帯電話３及びデジタルテレビ２の上述のような動作を行うための具体的な構成例と、ブランク期間用のデータの構成例及び表示例とを、図３〜図７を用いて説明する。図３及び図５はそれぞれ、携帯電話３及びデジタルテレビ２の構成例を示すブロック図、図４は、ブランク期間用のデータの構成例を示す図、図６は、デジタルテレビ２の表示制御部の動作を説明するブロック図、図７は、ブランク期間用データに基づく表示画面の例を示す図である。なお、携帯電話３の通話機能は、本発明の要旨に関連しないので、その説明や当該機能に係る構成の図示は省略する。
【００２６】
携帯電話３は、例えば、図３に示すように、タッチパネル３ａ、キーパッド３ｂ、コントローラ３ｃ、タッチパネル制御部３ｄ、キーパッド制御部３ｅ、チューナ復調部３ｆ、ＴＳデマルチプレクサ３ｇ、音声デコーダ３ｈ、動画像デコーダ３ｉ、音声出力制御部３ｊ、画像表示制御部３ｋ、スピーカ３ｌ、ディスプレイ３ｍ、リモコン信号送出部３ｎ、ブランク期間用データ生成部３ｐ、第１及び第２の近距離通信出力デバイス３ｏ，３ｑを有し、タッチパネル３ａまたはキーパッド３ｂを介してユーザにより操作される。
【００２７】
コントローラ３ｃは、携帯電話３全体を制御するもので、リモートコントローラソフトが起動されると、タッチパネル制御部３ｄやキーパッド制御部３ｅ等から入力される信号に応じた制御信号を、チューナ復調部３ｆ、ＴＳデマルチプレクサ３ｇ、音声デコーダ３ｈ、動画像デコーダ３ｉ、リモコン信号送出部３ｎ、ブランク期間用データ生成部３ｐ等に入力し、これらを制御する。
【００２８】
タッチパネル制御部３ｄ及びキーパッド制御部３ｅはそれぞれ、ユーザによりタッチパネル３ａ及びキーパッド３ｂから入力された情報に基づいてコントローラ３ｃに対して信号を入力するもので、例えば、キーパッド３ｂを操作することにより、携帯電話３で受信するチャンネルに応じた信号がコントローラ３ｃに入力される。また、これら制御部３ｄ，３ｅは、デジタルテレビ２へのチャンネル選択信号のリモコン信号送信決定操作に応じた信号等もコントローラ３ｃに入力する。
チューナ復調部３ｆは、コントローラ３ｃからの制御信号が示すチャンネルのＭＰＥＧ２−ＴＳの放送データを受信し、ＴＳデマルチプレクサ３ｇに入力する。
ＴＳデマルチプレクサ３ｇは、入力されたＭＰＥＧ２−ＴＳの放送データを、音声符号化データと動画像符号化データに分離し、それぞれ音声デコーダ３ｈ、動画像デコーダ３ｉに入力する。
【００２９】
音声デコーダ３ｈは、入力された音声符号化データをデコードし、ＰＣＭ（Pulse Code Modulation）データを音声出力制御部３ｊに入力する。
音声出力制御部３ｊは、ＰＣＭデータに基づいてスピーカ３ｌを制御し音声を出力させる。
動画像デコーダ３ｉは、入力された動画像符号化データをデコードし、１フレーム毎の動画像データを画像表示制御部３ｋに入力する。
画像表示制御部３ｋは、動画像データに基づいてディスプレイ３ｍを制御し動画像を出力させる。
リモコン信号送出部３ｎは、コントローラ３ｃからの制御信号に基づいて、ＩｒＤＡを通信方式として用いる第１の近距離通信出力デバイス３ｏを介して、チャンネル選択信号等のリモコン信号を送出させる。
ブランク期間用データ生成部３ｐ及び第２の近距離通信出力デバイス３ｑについては後述する。
【００３０】
以上の構成により、ユーザが、携帯電話３が内蔵するリモコンソフトを起動して、携帯電話３で内容確認のために視聴するチャンネルをタッチパネル３ａ及びキーパッド３ｂを選択すると、コントローラ３ｃがチューナ復調部３ｆ等を制御することにより、選択されたチャンネルの放送がスピーカ３ｌやディスプレイ３ｍを介して出力される。ユーザは、この出力内容の確認結果に応じて、現在デジタルテレビ２で出力中のチャンネルから携帯電話３で出力中のチャンネルへの切り替えを指示するリモコン信号を携帯電話３からデジタルテレビ２に送出させる。
【００３１】
そして、携帯電話３では、少なくとも上述のリモコン信号のデジタルテレビ２への送出が完了するまでの間、動画像デコーダ３ｉにＩフレームが入力される毎に、その旨を示す情報がコントローラ３ｃに入力される。また、Ｉフレームをデコードした静止画像が上記デコーダ３ｉからブランク期間用データ生成部３ｐに入力されると共に、現在、受信中（表示中）のチャンネルの情報がコントローラ３ｃから同データ生成部３ｐに入力される。ブランク期間用データ生成部３ｐでは、入力された静止画像を符号化して、図４に示すような、どのチャンネルかを示すチャンネル情報を埋め込んだＪＰＥＧファイルフォーマットのデータＸを生成する。図４の例では、チャンネル情報を、ＪＰＥＧファイルデータのアプリケーションマーカセグメントＸ１にチャンネル情報Ｘ２を埋め込んでいる。生成されたＪＰＥＧファイルデータは、ＩｒＳＳを通信方式として用いる第２の近距離通信出力デバイス３ｑを介して、ブランク期間用データとしてデジタルテレビ２に送信される。このようにして、携帯電話３では、コントローラ３ｃ，ブランク期間用データ生成部３ｐ及び第２の近距離通信出力デバイス３ｑが、本発明の「データ作成送信部」として、動画像デコーダ３ｉにＩフレームが入力される毎に、入力時の放送に基づいてブランク期間用データを生成しデジタルテレビ２に送信する。
【００３２】
一方、デジタルテレビ２は、例えば、図５に示すように、リモコン信号解釈部２ａ、第１及び第２の近距離通信入力デバイス２ｂ，２ｎ、選局制御部２ｃ、選局ボタン２ｄ、コントローラ２ｅ、チューナ復調部２ｆ、ＴＳデマルチプレクサ２ｇ、音声デコーダ２ｈ、動画像デコーダ２ｉ、音声出力制御部２ｊ、画像表示制御部２ｋ、スピーカ２ｌ、ブランク期間用データ復号部２ｍ、静止画像メモリ２ｏ、チャンネル情報メモリ２ｐ、ディスプレイ２ｑを有し、リモコン信号等によりユーザによって制御される。
【００３３】
リモコン信号解釈部２ａは、ＩｒＤＡ等を通信方式として用いる第１の近距離通信入力デバイス２ｂが受信したリモコン信号を判別するもので、例えば、携帯電話３からチャンネル選択信号のリモコン信号を受信した場合に当該信号が示すチャンネルの情報（選局情報）を選局制御部２ｃに入力する。
【００３４】
選局制御部２ｃは、ユーザにより操作されるデジタルテレビ２に一体に設けられた選局ボタン２ｄから入力された信号、または、リモコン信号解釈部２ａから入力された選局信号を、コントローラ２ｅに入力する。
コントローラ２ｅは、デジタルテレビ２全体を制御するもので、選局制御部２ｃ等から入力される信号に応じた制御信号を、チューナ復調部２ｆ、ＴＳデマルチプレクサ２ｇ、音声デコーダ２ｈ、動画像デコーダ２ｉ、画像表示制御部２ｋ等に入力し、これらを制御する。
チューナ復調部２ｆは、コントローラ２ｅからの制御信号が示すチャンネルのＭＰＥＧ２−ＴＳの放送データを受信し、ＴＳデマルチプレクサ２ｇに入力する。
ＴＳデマルチプレクサ２ｇは、入力されたＭＰＥＧ２−ＴＳの放送データを、音声符号化データと動画像符号化データに分離し、それぞれ音声デコーダ２ｈ、動画像デコーダ２ｉに入力する。
【００３５】
音声デコーダ２ｈは、入力された音声符号化データをデコードし、ＰＣＭ（Pulse Code Modulation）データを音声出力制御部２ｊに入力する。
音声出力制御部２ｊは、ＰＣＭデータに基づいてスピーカ２ｌを制御し音声を出力させる。
動画像デコーダ２ｉは、入力された動画像符号化データをデコードし、動画像データを画像表示制御部２ｋに入力する。
画像表示制御部２ｋについては後述する。
ブランク期間用データ復号部２ｍは、ＩｒＳＳ等を通信方式として用いる第２の近距離通信入力デバイス２ｎを介して入力されたブランク期間用データであってチャンネル情報が埋め込まれたＪＰＥＧファイルデータをデコードし、得られた静止画像及びチャンネル情報をそれぞれ静止画像メモリ２ｏ及びチャンネル情報メモリ２ｐに上書き記憶させる。静止画像メモリ２ｏ及びチャンネル情報メモリ２ｐは本発明の「データ記憶部」の一例である。
【００３６】
デジタルテレビ２では、コントローラ２ｅが、選局制御部２ｃからの入力に基づき、携帯電話３からチャンネルの切り替えを指示するリモート信号が入力されたと判定した場合、チューナ復調部２ｆを制御し、受信するチャンネルを切り替える。それと同時に、画像表示制御部２ｋを制御し、切り替え先のチャンネルの放送が表示可能となるまでの間、すなわち、動画像デコーダ２ｉに最初のイントラフレームが入力され、デコーダ２ｉがデコードを開始し、デコードした動画像の最初の１フレームが画像表示制御部２ｋに入力されるまでの間、静止画像メモリ２ｏに記憶された切り替え先のチャンネルの静止画像をディスプレイ２ｑに出力させる。そして、切り替え先のチャンネルの放送が表示可能となりブランク期間が経過すると、すなわち、動画像の最初の１フレームが動画像デコーダ２ｉから画像表示制御部２ｋに入力された旨が動画像デコーダ２ｉからコントローラ２ｅに入力されると、コントローラ２ｅは画像表示制御部２ｋを制御し、ブランク期間用データに基づく静止画像の表示から、切り替え先のチャンネルの動画表示に切り替える。
【００３７】
このように、デジタルテレビ２が、切り替え先のチャンネルについてＩフレーム受信毎に携帯電話３から送られてきた新しい静止画像をブランク期間中に表示するので、ブランク期間後に切り替え先のチャンネルの放送の動画表示に切り替えたときに、ブランク期間前後で表示する番組が異なることがなく、ユーザに不自然な印象を与えることがない。
【００３８】
画像表示制御部２ｋは、例えば、図６に示すように、コントローラ２ｅにより制御される動画プレーン２ｒ、静止画プレーン２ｓ、文字図形プレーン２ｔ、合成部２ｕを有する。
【００３９】
デジタルテレビ２で受信したチャンネルの放送データを動画表示する際には、動画像符号化をデコードした画像が動画プレーン２ｒに書き込まれ、データ放送の文字情報やどのチャンネルを見ているかの情報を示す文字情報等が文字図形プレーン２ｔに書き込まれ、プレーン２ｒ，２ｔ上のこれらデコード画像と文字情報等が合成部２ｕにより合成されて、ディスプレイ２ｑに表示される。
携帯電話３から受信した静止画像を表示する際には、静止画像メモリ２ｏから取り出された静止画像が静止画プレーン２ｓに書き込まれ、チャンネル情報メモリ２ｐから取り出されたチャンネル情報に基づく文字情報等が文字図形プレーン２ｔに書き込まれ、プレーン２ｓ，２ｔ上のこれら静止画像と文字情報等が合成部２ｕにより合成されて、ディスプレイ２ｑに表示される。
【００４０】
携帯電話３から受信した静止画像を表示する際には、図７に示すように、静止画像Ｙ１、チャンネルを示す文字情報Ｙ２と共に、静止画像Ｙ１が携帯電話３が作成したものであることを示す文字情報からなるメッセージＹ３を表示するようにしてもよい。このメッセージは、任意のメモリから読み出され文字図形プレーン２ｔに書き込まれ合成される。
【００４１】
図８は、デジタルテレビ２のリモートコントローラとして機能する携帯電話３の処理の一例を説明するフローチャートである。
携帯電話３では、リモコンソフトが起動されると（ステップＳ１）、受信するチャンネルをユーザに選択させ、そして、コントローラ３ｃの制御により、選択されたチャンネルの放送を受信し（ステップＳ２）、当該放送の表示出力／音声出力を行う（ステップＳ３）。出力中、Ｉフレームが入力されたか否か判定し（ステップＳ４）、入力された場合は、ブランク期間用データ生成部３ｐを制御し、動画像デコーダ３ｉから入力されたＩフレームの画像と現在受信中のチャンネルの情報とに基づいて、ブランク期間用データとして、チャンネル情報が埋め込まれた静止画像のＪＰＥＧファイルデータを生成しデジタルテレビ２に送信する（ステップＳ５）。その後、ステップＳ６に処理を移行させる。一方、Ｉフレームが入力されてない場合（ＮＯの場合）、そのままステップＳ６に処理を移行させる。
【００４２】
ステップＳ６では、携帯電話３で表示するチャンネルの切り替えが指示されたか否か判定し、指示された場合（ＹＥＳの場合）は、処理をステップＳ２に戻す。また、指示されていない場合（ＮＯの場合）は、携帯電話３で表示中のチャンネルへデジタルテレビ２のチャンネルを切り替えるよう指示するリモコン信号を送信する指示が入力されたか否か判定する（ステップＳ７）。送信指示が入力されていない場合（ＮＯの場合）は、処理を後述のステップＳ９に移行する。入力された場合（ＹＥＳの場合）は、リモコン信号送出部３ｎを制御し、上記リモコン信号を送信させてから（ステップＳ８）、処理をステップＳ９に移行させる。ステップＳ９では、リモコンソフトの終了指示が入力されたか否か判定し、入力されていない場合（ＮＯの場合）はステップＳ４に処理を戻し、入力された場合（ＹＥＳの場合）はリモコンソフトを終了させて処理を終了させる。
【００４３】
携帯電話３は、以上のように処理を行うことで、Ｉフレーム受信毎に該受信時の放送に基づくブランク期間用データをデジタルテレビ２に送信することができる。
【００４４】
（第２の実施例）
上述の例では、携帯電話３で表示中のチャンネルへの切り替えを指示するリモコン信号をデジタルテレビ２に送信する前に、上述のようなブランク期間用データをＩフレームが入力される毎に送信していたが、これに代えて、上記リモコン信号を送信する際に、上述のようなブランク期間用データも送信するようにしてもよい。この場合、携帯電話の構成自体は同様であるが、携帯電話３における処理が異なる。図３を参照し、図９のフローチャートを用いて、第２の実施例の携帯電話３の処理を説明する。なお、図８のフローチャートで説明した処理と同様な処理については、同じステップ番号を付すことによりその説明を省略する。
【００４５】
本例の携帯電話３は、ユーザにより選択されたチャンネルの放送の表示出力／音声出力中、携帯電話３で表示中のチャンネルへデジタルテレビ２のチャンネルを切り替えるよう指示するリモコン信号を送信する指示が入力されたか否か判定する（ステップＳ１１）。送信指示が入力された場合（ＹＥＳの場合）は、リモコン信号送出部３ｎを制御し、上記リモコン信号を送信させると共に、ブランク期間用データ生成部３ｐを制御し、動画像デコーダ３ｉから入力されたＩフレームの画像と現在受信中（表示中）のチャンネルの情報とに基づいて、ブランク期間用データとして、チャンネル情報が埋め込まれた静止画像のＪＰＥＧファイルデータを生成しデジタルテレビ２に送信する（ステップＳ１２）。その後、ステップＳ１３に処理を移行させる。送信指示が入力されていない場合は（ステップＳ１１、ＮＯの場合）、そのままステップＳ１３に処理を移行させる。
ステップＳ１３では、携帯電話３で表示するチャンネルの切り替えが指示されたか否か判定し、指示された場合（ＹＥＳの場合）は、処理をステップＳ２に戻し、指示されていない場合（ＮＯの場合）は、リモコンソフトの終了指示が入力されたか否か判定する（ステップＳ１４）。そして、終了指示が入力されていない場合（ＮＯの場合）はステップＳ１１に処理を戻し、入力されている場合（ＹＥＳの場合）はリモコンソフトを終了させて処理を終了させる。
【００４６】
このようにして、携帯電話３が、チャンネルの切り替えを指示するリモコン信号を送信する際に、その時の放送に基づくブランク期間用データを作成してデジタルテレビ２へ送信する。そして、デジタルテレビ２では、リモコン信号が示す切り替え先のチャンネルの放送の動画表示が可能となるまで、上記ブランク期間用データに基づいて静止画像を表示するので、その後、動画表示をしたときに静止画像の番組と動画表示する番組とが異なってユーザに不自然な印象を与えることが無い。
【００４７】
（第３の実施例）
図１０は、本発明の第３の実施例のデジタル放送受信システムをユーザが用いるときに、デジタル放送受信装置や携帯電話に表示される画面や、携帯電話から上記受信装置に送信されるデータを説明する図である。
第３の実施例のデジタル放送受信システムでは、ユーザが、例えば、図１０（Ａ）に示すように現在デジタルテレビ２’で出力されているチャンネルＡからの切り替えを考えた場合、携帯電話３’のリモコンソフトを起動し、内容確認のために、図１０（Ｂ）に示すように、携帯電話３’で受信可能な複数のチャンネルをマルチチャンネル表示させる。このマルチチャンネル表示は、チューナで受信するチャンネルを所定間隔毎に自動的に切り替えて行われる。本例のデジタル放送受信システムでは、携帯電話３’は、マルチ画面表示を行いながら、バックグラウンドで、各チャンネルについて、Ｉフレームの受信毎に、現在表示出力中の放送の静止画像データを作成しデジタルテレビ２’に送信し当該テレビ２’の不図示のメモリに記憶させている。
【００４８】
そして、図１０（Ｃ）に示すように、ユーザがマルチチャンネル表示結果に基づいて、チャンネルＢへの切り替えを指示するリモコン信号を携帯電話３’からデジタルテレビ２’に送出させたときに、デジタルテレビ２’が、切り替え先のチャンネルＢの現在の放送が表示できるようになるまでのブランク期間中、予めメモリに記憶したチャンネルＢの静止画像データに基づいて表示出力を行う。チャンネルＢの現在の放送を表示可能になったら、図１０（Ｄ）に示すように、デジタルテレビ２’は、チャンネルＢの実際の放送を出力する。
このようにして、デジタルテレビ２’が、ブランク期間中に、切り替え先のチャンネルでの現在の放送と時間的に近い放送の静止画像を表示できるので、当該静止画像の表示から現在の放送データをデコードした動画の表示に切り替えたときに番組が変わってユーザに不自然な印象を与えることが少ない。
【００４９】
携帯電話３’及びデジタルテレビ２’の上述のような動作を行うための具体的な構成例を、図１１及び図１２のブロック図を用いて説明する。なお、携帯電話３’とデジタルテレビ２’の、図３の携帯電話３と図５のデジタルテレビ２と同様の構成については、同じ参照符号を付すことによりその説明を省略する。
【００５０】
図１１の携帯電話３’は、図３の携帯電話３’と異なり、リモコンソフトが起動されると、コントローラ３ｃ’が、チューナ復調部３ｆを制御して、少なくとも各チャンネルでＩフレームの画像が得られるのに十分な間隔毎（フルセグの場合は２〜３秒程度）に受信するチャンネルを切り替え、各チャンネルのＭＰＥＧ２−ＴＳの放送データをＴＳデマルチプレクサ３ｇに入力する。各チャンネルの放送データのうち動画像符号化データは、動画像デコーダ３ｉに入力されデコードされ、動画像データとして１フレーム毎に画像表示制御部３ｋ’に入力される。画像表示制御部３ｋ’は、入力された各チャンネルの動画像データに基づいて、マルチチャンネル表示制御部３ｒによりマルチチャンネル画面データを生成してディスプレイ３ｍに入力する。これにより、複数のチャンネルの放送データの画像が１画面に表示されるマルチチャンネル画面表示が行われる。マルチチャンネル画面表示では、例えば、１つのチャンネルの画像のみが動画で、他のチャンネルの画像が静止画であり、動画表示されるチャンネルが順番に切替わっていく。
【００５１】
また、携帯電話３’では、各チャンネルについて、動画像デコーダ３ｉにＩフレームが入力される毎に、その旨を示す情報がコントローラ３ｃ’に入力され、また、デコードしたＩフレームの静止画像が上記デコーダ３ｉからブランク期間用データ生成部３ｐに入力されると共に、現在、受信中のチャンネルの情報がコントローラ３ｃ’から同データ生成部３ｐに入力される。ブランク期間用データ生成部３ｐでは、入力された静止画像を符号化してチャンネル情報を埋め込んだＪＰＥＧファイルデータを生成し、第２の近距離通信出力デバイス３ｑを介して、ブランク期間用データとしてデジタルテレビ２’に送信する。このようにして、携帯電話３’では、コントローラ３ｃ’，ブランク期間用データ生成部３ｐ及び第２の近距離通信出力デバイス３ｑが、本発明の「データ作成送信部」として、各チャンネルについて、動画像デコーダ３ｉにＩフレームが入力される毎に、ブランク期間用データを生成しデジタルテレビ２に送信する。言い換えれば、チャンネルの切り替え毎に、切り替え後のチャンネルの放送データに基づいてブランク期間用データを生成しデジタルテレビ２’に送信する。
【００５２】
一方、図１２のデジタルテレビ２’は、図５のデジタルテレビ２と異なり、例えば、ブランク期間用データ復号部２ｍがブランク期間用データ（チャンネル情報が埋め込まれたＪＰＥＧファイルデータ）をデコードして得た静止画像をチャンネル毎に記憶する各チャンネル用静止画像メモリ２ｏ’を有する。各チャンネル用静止画像メモリ２ｏ’は本発明の「データ記憶部」の一例である。
そして、デジタルテレビ２’では、コントローラ２ｅ’が、選局制御部２ｃからの入力に基づき、携帯電話３’からチャンネルの切り替えを指示するリモート信号が入力されたと判定した場合、チューナ復調部２ｆを制御し、受信するチャンネルを切り替える。それと同時に、画像表示制御部２ｋ’を制御し、切り替え先のチャンネルの動画表示が可能となるまでの間、各チャンネル用静止画像メモリ２ｏ’に記憶された切り替え先のチャンネルの静止画像をディスプレイ２ｑから出力させる。そして、切り替え先のチャンネルの放送が表示可能となりブランク期間が経過すると、コントローラ２ｅは画像表示制御部２ｋを制御し、ブランク期間用データに基づく静止画像の表示から、切り替え先のチャンネルの動画表示に切り替える。
【００５３】
このように、デジタルテレビ２’が、マルチチャンネル表示する各チャンネルについてＩフレーム受信毎に携帯電話３’が送信した新しい静止画像をブランク期間中に表示するので、切り替え先のチャンネルの動画表示に切り替えたときにユーザに不自然な印象を与えることがない。
この例でも、チャンネルを示す文字情報等を静止画像に重ねて表示するようにしてもよい。
【００５４】
図１３は、デジタルテレビ２’に対するリモートコントローラとして機能する携帯電話３’の処理の一例を説明するフローチャートである。
携帯電話３’では、リモコンソフトが起動されると（ステップＳ２１）、チューナ復調部３ｆで受信するチャンネルを所定間隔毎に切り替えさせ、各チャンネルの放送を受信し（ステップＳ２２）、受信した放送をチャンネル毎に順次デコードして画像表示制御部３ｋ’に入力する。そして、画像表示制御部３ｋ’を制御することによりマルチチャンネル画面表示を行う（ステップＳ２３）。
【００５５】
マルチ画面表示中、Ｉフレームが入力されたか否か判定する（ステップＳ２４）。入力された場合（ＹＥＳの場合）は、ブランク期間用データ生成部３ｐを制御し、動画像デコーダ３ｉから入力されたＩフレームをデコードした静止画像と当該Ｉフレームが入力されたチャンネルの情報とに基づいて、ブランク期間用データとして、チャンネル情報が埋め込まれた静止画像のＪＰＥＧファイルデータを生成しデジタルテレビ２’に送信し（ステップＳ２５）、ステップＳ２６に処理を移行させる。なお、ステップＳ２４において、Ｉフレームが入力されていない場合（ＮＯの場合）、そのままステップＳ２６に処理を移行させる。
【００５６】
ステップＳ２６では、携帯電話３’でマルチチャンネル画面表示しているうちの１の特定のチャンネルへデジタルテレビ２’のチャンネルを切り替えるよう指示するリモコン信号を送信する指示が入力されたか否か判定する。送信指示が入力されていない場合は、処理を後述のステップＳ２８に移行させ、入力されている場合は、リモコン信号送出部３ｎを制御し、上記リモコン信号を送信させてから（ステップＳ２７）、処理をステップＳ２８に移行させる。ステップＳ２８では、リモコンソフトの終了指示が入力されたか否か判定し、入力されていない場合（ＮＯの場合）はステップＳ２４に処理を戻し、入力されている場合（ＹＥＳの場合）はリモコンソフトを終了させて処理を終了させる。
【００５７】
携帯電話３’は、以上のように処理を行うことで、マルチチャンネル表示中のチャンネルについて、Ｉフレーム受信毎に、当該受信時の放送に基づくブランク期間用データをデジタルテレビ２に送信することができる。
【００５８】
なお、携帯電話にチューナを二つ設けておき、マルチ画面表示でなく１つのチャンネルを１つの画面に表示するために二つのうちの一つのチューナを割り当て、もう一つのチューナを、受信チャンネルが所定間隔毎に切り替わるように制御し、各チャンネルについて、例えば、Ｉフレーム受信毎に、当該受信時の放送に基づいてブランク期間用データを生成しデジタルテレビ２’に送信することで、チャンネル切り替え毎に切り替え後のチャンネルの放送データに基づいてブランク期間用データを作成しデジタルテレビ２’に送信するようにしてもよい。
【００５９】
（第４の実施例）
図１４は、本発明の第４の実施例のデジタル放送受信システムに用いられる携帯電話の一例を説明するブロック図である。本実施例の携帯電話について、第１の実施例の携帯電話３と同様な構成については、同じ符号を付すことによりその説明を省略する。
【００６０】
第１の実施例の携帯電話３は、当該携帯電話３で選択され表示中のチャンネルにおけるＩフレームの受信毎に、該受信時のチャンネルの放送に基づくブランク期間用データを作成しデジタルテレビに送信し続けていた。それに対し、本例の携帯電話３’’は、選択し表示したチャンネルの受信開始時の番組が別の番組に変わるまでは、第１の実施例の携帯電話３と同様にＩフレームの受信毎に、上記ブランク期間用データを作成し送信するが、別の番組に変わった後は、変わった直後の放送に基づくブランク期間用データを送信した後は、当該携帯電話３が視聴するチャンネルが変更されない限り、Ｉフレームの受信毎の上記ブランク期間用データの作成・送信を停止するようにしたものである。停止した後は、例えば、再び別の番組に変わる毎に、変わった直後の放送に基づくブランク期間用データを作成／送信するとよい。
【００６１】
これが可能となるように、携帯電話３’’は、例えば、図１４に示すように、電子番組表データを記憶するＥＰＧ記憶部３ｓと、携帯電話３’’で現在表示しているチャンネルの現在の番組が別の番組へ切り替わる時刻を記憶する切替時刻記憶部３ｔとを有する。
【００６２】
この携帯電話３’’は、リモコンソフトが起動中、視聴するチャンネルが選択されたり切り替えられたりすると、当該チャンネルの放送の出力を開始すると同時に、ＥＰＧ記憶部３ｓを参照し、出力開始時の当該チャンネルの番組が別の番組に切り替わる時刻を判定し切替時刻記憶部３ｔに記憶する。そして、携帯電話３’’が視聴するチャンネルが変更されない限り、切替時刻記憶部３ｔに記憶した時刻までは、第１の実施例の携帯電話３と同様に、Ｉフレーム受信毎にブランク期間用データを作成し送信するが、上記時刻が経過した場合は、経過直後の放送に基づくブランク期間用データを送信した後、Ｉフレームの受信毎の上記ブランク期間用データの作成・送信を停止する。そして、番組が切り替わる毎に、変わった直後の放送に基づくブランク期間用データを作成／送信する。
上述のように、携帯電話３’’では、コントローラ３ｃ’’，ブランク期間用データ生成部３ｐ、第２の近距離通信出力デバイス３ｑ及び切替時刻部３ｔが、本発明の「データ作成送信部」として、携帯電話３’’で表示中のチャンネルにおける番組が切り替わる毎に、前記出力データを作成し送信する。
【００６３】
このようにすることにより、電力の消費を抑えることができる。また、番組が切り替わった直後の放送は、切り替わり先の番組のタイトルを含んでいたり、見慣れた定番のオープニングの場面であったりすることが多いので、このような放送に基づくブランク期間用データをデジタルテレビに送信して表示することにより、ブランク期間中にユーザがこれから視聴する番組の内容を改めて確認することができる。
【００６４】
なお、再び別の番組に変わる毎に、変わった直後の放送に基づくブランク期間用データを作成／送信する場合、別の番組に変わるまで２０〜３０秒間隔でその時の放送に基づくブランク期間用データを作成／送信してもよい。
【００６５】
第３の実施例のようにマルチチャンネル画面表示を行うときも、上述と同様に、各チャンネルについて、出力開始時の当該チャンネルの番組が別の番組に切り替わる時刻までは、Ｉフレームの受信毎に、上記ブランク期間用データを作成し送信し、別の番組に変わったときは、変わった直後の放送に基づくブランク期間用データを送信した後は、Ｉフレームの受信毎の上記ブランク期間用データの作成・送信を停止するようにしてもよい。
【００６６】
第２の実施例のように、携帯電話３がリモコン信号を送る際にブランク期間用データも送信する場合、携帯電話３で長く同じチャンネルの表示を行っていて、番組が表示開始時から変わった場合、変わった直後の放送のブランク期間用データを保存しておき、これをリモコン信号を送る際に合わせて送信するようにしてもよい。これも、第４の実施例と同様に、電子番組表データを記憶するＥＰＧ記憶部と、携帯電話で現在表示しているチャンネルの現在の番組が別の番組へ切り替わる時刻を記憶する切替時刻記憶部とを携帯電話に設けておけば達成できる。
【００６７】
第１，３，４の実施例において、チャンネルの切り替えを指示するリモコン信号が携帯電話から入力されたときに、携帯端末が作成したブランク期間用データに基づいてデジタルテレビがブランク期間中に画像表示を行っていたが、チャンネルの切り替えを指示するリモコン信号が携帯端末以外、例えば、デジタルテレビのリモコンや、デジタルテレビの選局ボタンを介して入力されたときも同様な表示を行ってもよい。
【００６８】
上述の各実施例において、携帯電話のブランク期間データ生成部が、入力された画像をデジタルテレビの画面の大きさに合うよう拡大縮小する機能を有することが好ましい。
また、上述の各実施例では、静止画像データのフォーマットとして、ＪＰＥＧを用いていたが、ＭＰＥＧ２のＩフレームのフォーマットを用いてもよい。
【００６９】
上述の各実施例では、ブランク期間用データを作成する際に用いる静止画像として、Ｉフレームをデコードした画像を用いていたが、それ以外のデコードした１フレームの画像を用いてもよい。また、上述の各実施玲では、携帯電話がブランク期間用データとして静止画像データを作成／送信するようにしていたが、動画像データや音声データ付の動画像データを作成／送信するようにしてもよい。動画像データとしては、例えば、５秒程度の動画像であって、携帯電話が受信している動画像よりフレームレートが少ないものが考えられる。
また、上述の各実施例では、携帯電話がフルセグのチューナを有していたが、ワンセグのチューナであってもよい。この場合に、実施例３の携帯電話３’においてチューナで受信するチャンネルを切り替える間隔は、５秒程度となる。また、ワンセグのチューナを携帯電話に用いる場合に、フルセグのチューナを有するデジタルテレビに動画像データや音声データ付の動画像データを送る場合は、ワンセグで利用されるＭＰＥＧ４の圧縮方式のデータから、フルセグで利用されるＭＰＥＧ２の圧縮方式のデータへ変換（トランスコーディング）して送信するとよい。
【００７０】
なお、デジタルテレビが、ブランク期間用データに基づいて、携帯電話３で受信しているチャンネルの放送を子画面に表示してもよい。これにより、携帯電話３を操作している人以外も裏番組をチェックできる。
【００７１】
以上では、携帯端末装置を携帯電話で構成する例で説明したが、ＰＤＡ（Personal Digital Assistance）やデジタルテレビのリモートコントローラで構成してもよい。
【符号の説明】
【００７２】
１…デジタル放送受信システム、２…デジタルテレビ、２ａ…リモコン信号解釈部、２ｂ…第１の近距離通信入力デバイス、２ｃ…選局制御部、２ｄ…選局ボタン、２ｅ…コントローラ、２ｆ…チューナ復調部、２ｇ…ＴＳデマルチプレクサ、２ｈ…音声デコーダ、２ｉ…動画像デコーダ、２ｊ…音声出力制御部、２ｋ…画像表示制御部、２ｌ…スピーカ、２ｍ…ブランク期間用データ復号部、２ｎ…第２の近距離通信入力デバイス、２ｏ…静止画像メモリ、２ｏ’…各チャンネル用静止画像メモリ、２ｐ…チャンネル情報メモリ、２ｑ…ディスプレイ、２ｒ…動画プレーン、２ｓ…静止画プレーン、２ｔ…文字図形プレーン、２ｕ…合成部、３，３’，３’’…携帯電話、３ａ…タッチパネル、３ｂ…キーパッド、３ｃ…コントローラ、３ｄ…タッチパネル制御部、３ｅ…キーパッド制御部、３ｆ…チューナ復調部、３ｇ…ＴＳデマルチプレクサ、３ｈ…音声デコーダ、３ｉ…コントローラ、３ｉ…動画像デコーダ、３ｊ…音声出力制御部、３ｋ…画像表示制御部、３ｌ…スピーカ、３ｍ…ディスプレイ、３ｎ…リモコン信号送出部、３ｎ…静止画像エンコーダ、
３ｏ…第１の近距離通信出力デバイス、３ｏ…第１の近距離通信出力デバイス、３ｐ…ブランク期間用データ生成部、３ｐ…静止画像エンコーダ、３ｑ…第２の近距離通信出力デバイス、３ｒ…マルチチャンネル表示制御部、３ｓ…ＥＰＧ記憶部、３ｔ…切替時刻記憶部。
【図１】
2011119839.tif 000003
【図２】
2011119839.tif 000004
【図３】
2011119839.tif 000005
【図４】
2011119839.tif 000006
【図５】
2011119839.tif 000007
【図６】
2011119839.tif 000008
【図７】
2011119839.tif 000009
【図８】
2011119839.tif 000010
【図９】
2011119839.tif 000011
【図１０】
2011119839.tif 000012
【図１１】
2011119839.tif 000013
【図１２】
2011119839.tif 000014
【図１３】
2011119839.tif 000015
【図１４】
2011119839.tif 000016